(57)【要約】【課題】光が全体的に均一に放射される光学部材を含む表示装置を提供する。【解決手段】光を放出する光源と、前記光の供給を受けて画像を表示する表示パネルと、前記光源と前記表示パネルとの間に介在する光学部材を有し、前記光学部材は、前記光が入射する入光面と、前記入光面の対向する面であり前記光が出射される出光面と、前記出光面に形成されるプリズムパターンと、前記プリズムパターンと重畳し、前記入光面に入射された入射光が前記プリズムパターンによって全反射されて再び前記入光面に入射される全反射区間に形成される拡散パターンとを含む。【選択図】      図２
2010108937.tif 000002
【特許請求の範囲】
【請求項１】
光を放出する光源と、
前記光の供給を受けて画像を表示する表示パネルと、
前記光源と前記表示パネルとの間に介在する光学部材を有し、
前記光学部材は、前記光が入射する入光面と、
前記入光面の対向する面であり前記光が出射される出光面と、
前記出光面に形成されるプリズムパターンと、
前記プリズムパターンと重畳し、前記入光面に入射された入射光が前記プリズムパターンによって全反射されて再び前記入光面に入射される全反射区間に形成される拡散パターンとを含むことを特徴とする表示装置。
【請求項２】
前記プリズムパターンが、底辺が前記入光面に平行である二等辺三角形形状であり、底角がαであり、前記プリズムパターンの屈折率がｎであり、前記光源と前記光学部材の入光面との距離がＨであり、前記光源から前記光学部材入光面への垂線と入光面との交点を中点として形成される拡散パターンの幅をＤとするとき、下記の数式１を満足することを特徴とする請求項１に記載の表示装置。
（数１）
Ｈ×ｔａｎ（９０°−α−ｃｏｓ−１（１／ｎ））＜Ｄ＜Ｈ×ｔａｎ（９０°−３α＋ｃｏｓ−１（１／ｎ））
【請求項３】
前記プリズムパターンが、底辺が前記入光面に平行である二等辺三角形形状であり、底角がαであり、前記プリズムパターンの屈折率がｎであり、前記光源と前記光学部材の入光面との距離がＨであり、前記光源の半径をｒとするとき、前記光源から前記光学部材入光面への垂線と入光面との交点を中点として形成される前記拡散パターンの幅（Ｄ）は、下記の数式２を満足することを特徴とする請求項１に記載の表示装置。
（数２）
Ｄ＝２×ｒ＋Ｈ×ｔａｎ（９０°−３α＋ｃｏｓ−１（１／ｎ））
【請求項４】
前記拡散パターンの幅（Ｄ）は、下記の数式３を満足することを特徴とする請求項３に記載の表示装置。
（数３）
０．１１２×Ｈ＋２×ｒ＜Ｄ＜０．２７×Ｈ＋２×ｒ
【請求項５】
前記拡散パターンは、前記入光面及び前記出光面のうちの少なくとも一面に形成されることを特徴とする請求項１に記載の表示装置。
【請求項６】
前記拡散パターンは、前記入光面と前記出光面との間に分散物質を分散してなることを特徴とする請求項１に記載の表示装置。
【請求項７】
前記光学部材は、第１光学部材と、
前記第１光学部材と重畳する第２光学部材とを含み、前記プリズムパターンは、前記第１光学部材に形成され、前記拡散パターンは、前記第２光学部材に形成されることを特徴とする請求項１に記載の表示装置。
【請求項８】
前記第２光学部材は、前記第１光学部材の入光面に隣接して配置されることを特徴とする請求項７に記載の表示装置。
【請求項９】
光を放出する光源と、
前記光の供給を受けて画像を表示する表示パネルと、
前記光源と前記表示パネルとの間に介在し、前記光が入射する入光面と、該入光面の対向面で前記光が出射される出光面と、該出光面に形成されたプリズムパターンと、該プリズムパターンと重畳し、前記入光面に入射された入射光が前記プリズムパターンによって全反射される区間に形成された第１拡散パターンと、前記プリズムパターンと重畳し、前記入射光が前記プリズムパターンを通過する区間に形成された第２拡散パターンとを含む光学部材とを有し、
前記第１拡散パターンの光拡散能力が前記第２拡散パターンの光拡散能力より高いことを特徴とする表示装置。
【請求項１０】
前記第１拡散パターンの密度は、前記第２拡散パターンの密度より高いことを特徴とする請求項９に記載の表示装置。
【発明の詳細な説明】
【技術分野】
【０００１】
本発明は、表示装置に関し、より詳細には光が全体的に均一に放射される光学部材を含む表示装置に関するものである。
【背景技術】
【０００２】
表示装置（Ｌｉｑｕｉｄ  Ｃｒｙｓｔａｌ  Ｄｉｓｐｌａｙ：ＬＣＤ）は、現在最も広く使われているフラットパネル表示装置（Ｆｌａｔ  Ｐａｎｅｌ  Ｄｉｓｐｌａｙ：ＦＰＤ）のうちの一つであって、電極が形成されている二枚の基板とその間に挿入されている液晶層から成り、電極に電圧を印加して液晶層の液晶分子を再配列させることによって透過する光の量を調節して画像を表示する装置である。
【０００３】
このような表示装置は、それ自体が非発光素子であるため、画像を表示するためには発光素子である光源を含むバックライトアセンブリを含まなければならない。バックライトアセンブリは、表示パネルの後面から光を照射し、表示パネル全体に概ね均一に光を供給する面光源として作用する。このようなバックライトアセンブリは、光を放出する光源の位置によって直下型とエッジ型に区分される。直下型は、光源を表示パネルの真下に位置させる方式であり、エッジ型は、光源を側面に位置させて導光板を利用して光を表示パネル全体に光を伝達させる方式である。
【０００４】
特に、直下型バックライトアセンブリは、拡散板の下部に光源が位置するため、輝線が生じる可能性があり、最近は光源数を減らす傾向にあるため、輝線及び暗線が生じる可能性がさらに高まるという問題が生じている。
これに関連して、光の拡散及び集光効率を高めて、輝線及び暗線を減少させるためにプリズムシートなどを使用しているが、プリズムパターンの全反射区間の形成による輝度不均一度が高まるにつれ、これに対する精密な制御が必要になってきているという問題がある。
【先行技術文献】
【特許文献】
【０００５】
【特許文献１】特開２００７−２６４３４３号公報
【発明の概要】
【発明が解決しようとする課題】
【０００６】
そこで、本発明は上記従来の表示装置における問題点に鑑みてなされたものであって、本発明の目的は、光が全体的に均一に放射される光学部材を含む表示装置を提供することにある。
【課題を解決するための手段】
【０００７】
上記目的を達成するためになされた本発明による表示装置は、光を放出する光源と、前記光の供給を受けて画像を表示する表示パネルと、前記光源と前記表示パネルとの間に介在する光学部材を有し、前記光学部材は、前記光が入射する入光面と、前記入光面の対向する面であり前記光が出射される出光面と、前記出光面に形成されるプリズムパターンと、前記プリズムパターンと重畳し、前記入光面に入射された入射光が前記プリズムパターンによって全反射されて再び前記入光面に入射される全反射区間に形成される拡散パターンとを含むことを特徴とする。
【０００８】
また、上記目的を達成するためになされた本発明による表示装置は、光を放出する光源と、前記光の供給を受けて画像を表示する表示パネルと、前記光源と前記表示パネルとの間に介在し、前記光が入射する入光面と、該入光面の対向面で前記光が出射される出光面と、該出光面に形成されたプリズムパターンと、該プリズムパターンと重畳し、前記入光面に入射された入射光が前記プリズムパターンによって全反射される区間に形成された第１拡散パターンと、前記プリズムパターンと重畳し、前記入射光が前記プリズムパターンを通過する区間に形成された第２拡散パターンとを含む光学部材とを有し、前記第１拡散パターンの光拡散能力が前記第２拡散パターンの光拡散能力より高いことを特徴とする。
【発明の効果】
【０００９】
本発明に係る表示装置によれば、輝度不均一度を起こす光学部材に含まれるプリズムパターンでの全反射区間の形成に対し、精密な制御がなされ、光が全体的に均一に放射されるという効果がある。
【図面の簡単な説明】
【００１０】
【図１】本発明の第１の実施形態による光学部材及び光源の部分斜視図である。
【図２】図１に示す光学部材および光源をＩＩ−ＩＩ’線に沿って切断した断面図である。
【図３】図１に示す光学部材における光の経路を説明するための概略断面図である。
【図４】本発明の第２の実施形態による光学部材及び光源の部分斜視図である。
【図５】図４に示す光学部材及び光源をＶ−Ｖ’線に沿って切断した断面図である。
【図６】図５に示す光学部材の実施形態の変形例を示す断面図である。
【図７】本発明の第３の実施形態による光学部材及び光源の部分斜視図である。
【図８】図７に示す光学部材及び光源をＶＩＩＩ−ＶＩＩＩ’線に沿って切断した断面図である。
【図９】本発明の第４の実施形態による光学部材の断面図である。
【図１０】本発明の一実施形態による表示装置の分解斜視図である。
【図１１】図１０に示す表示装置に含まれる光学部材、拡散板及び光源を示す概略断面図である。
【発明を実施するための形態】
【００１１】
次に、本発明に係る表示装置を実施するための形態の具体例を図面を参照しながら説明する。
【００１２】
本発明の利点、特徴、およびそれらを達成する方法は、添付の図面と共に詳細に後述される実施形態を参照すれば明確になるであろう。しかし、本発明は、以下で開示される実施形態に限定されるものではなく、互いに異なる多様な形態で具現されることが可能である。
【００１３】
本実施形態は、単に本発明の開示が完全になるように、本発明が属する技術分野で通常の知識を有する者に対して発明の範疇を完全に知らせるために供給されるものであり、本発明は、請求項の範疇によってのみ定義される。なお、明細書全体にかけて、同一の参照符号は同一の構成要素を指すものとする。
【００１４】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などは、図面に示されているように、一つの素子または構成要素と異なる素子または構成要素との相関関係を容易に記述するために使用されてもよい。空間的に相対的な用語は、図面に示されている方向に加えて、使用時または動作時における素子の互いに異なる方向を含む用語として理解されなければならない。
【００１５】
以下、図１〜図３を参照して本発明の第１実施形態による光学部材について詳細に説明する。
図１は、本発明の第１の実施形態による光学部材及び光源の部分斜視図であり、図２は、図１に示す光学部材及び光源をＩＩ−ＩＩ’線に沿って切断した断面図であり、図３は、図１に示す光学部材における光の経路を説明するための概略断面図である。
【００１６】
本発明の第１の実施形態による光学部材５０は、直下型バックライトアセンブリに適用される光学部材５０であって、光源７０が光学部材５０の真下に位置する。
【００１７】
光学部材５０は、光源７０から光が入射する入光面５１と入光面５１の対向面として光が出射される出光面５２を含む。光学部材５０は、所定の厚さを有するプレート（ｐｌａｔｅ）形状またはシート（ｓｈｅｅｔ）形状で形成され得る。光学部材５０の下部に光源７０が位置する直下型構造の場合にはプレートまたはシートの下面が入光面５１になり、上面が出光面５２になる。
【００１８】
光学部材５０の出光面５２にはプリズムパターン５３が形成される。プリズムパターン５３は、出光面５２の一側から他側まで長く溝状の形態で形成され得、プリズムパターン５３の断面形状は三角形で形成され得る。ただし、プリズムパターン５３の断面形状は設計仕様により円形、楕円形など多様な形状に変形することが可能であるが、本明細書ではプリズムパターン５３を説明するにおいて三角形の断面を有するプリズムパターン５３を例にあげて説明する。
【００１９】
光源７０で生成された光は、光学部材５０の入光面５１を通じて入射されて出光面５２を通じて出射される。出光面５２を通じて出射された光は、表示パネル（図１０の３１参照）に供給される。このとき、光学部材５０の出光面５２に形成されたプリズムパターン５３は出射される光を集光する役割を果たす。すなわち、光学部材５０の下部から入射する光は様々な方向から入射され、このような光を効果的に表示パネルに伝達するために光を一定の方向に集光しなければならない。
【００２０】
光学部材５０の入光面５１には入射する光を拡散させる拡散パターン５４が形成されている。拡散パターン５４は、一定の角度で入射する光を多様な角度に屈折させて光が多様な角度に出射されるようにする役割を果たし、拡散パターン５４は、光源７０が位置する真上にのみ形成する。
【００２１】
一方、光源７０から放出される光は多様な経路を通じて光学部材５０に入射する。光学部材５０の入光面５１に入射された光のうち一部は屈折して出光面５２を通じて出射し、一部は再び反射して入光面５１に放出される。このように、入光面５１を通じて入射された光が出光面５２のプリズムパターン５３により反射され、再び入光面５１を通じて放出されると、その反射面となる区間では光が出光面５２を通じて放出され得ない。したがって、光が放出され得ない出光面５２付近には暗線が形成される。
【００２２】
光学部材５０の輝線及び暗線は、光が一定の部分に集中したり又は光が透過できず、全反射されたりすることにより発生する。このような輝線及び暗線は、光学部材５０の全体的な輝度均一性を低下させ、光源７０間の間隔（Ｐ）が大きくなり、光源７０の輝度が増加する場合、光学部材５０の出光面５２では輝度の不均一度がさらに高まるようになる。
【００２３】
特に、光源７０の真上の付近の区間で光が全反射され、暗線が発生しやすいので、光源７０の直上部の一定の区間に拡散パターン５４を形成する。
【００２４】
拡散パターン５４は、入光面５１にサンドブラスタ（ｓａｎｄ  ｂｌａｓｔｅｒ）を利用して表面を加工して形成したり、光を散乱させる塗料を塗布して形成したりすることができる。このような拡散パターン５４は所定の幅を有する帯形状で形成される。すなわち、図１に示すように線光源を有する場合、光源７０に沿って一定の幅（Ｄ）を有する拡散パターン５４を光源７０及びプリズムパターン５３の長さ方向に延長されるように形成する。
【００２５】
拡散パターン５４は、光源７０と光学部材５０との間の距離（Ｈ）によってパターンの幅（Ｄ）が変わり得、光源７０間の間隔（Ｐ）によって拡散パターン５４間の距離が調節され得る。
【００２６】
図２及び図３を参照して光学部材５０を通過する光の経路及び拡散パターン５４の形成区間について詳細に説明する。
ここで、図１に示すＩＩ−ＩＩ’線に沿って切断した断面が二等辺三角形を成すプリズムパターン５３を例にあげて説明する。
【００２７】
光源７０から入射する光が光源７０からの垂線から所定の角度（θ）以内にある場合、光は第１面５２ａと第２面５２ｂをすべて全反射して再び入光面５１に出射される。このように、光が第１面５２ａと第２面５２ｂをすべて全反射する区間には入光面５１に入射された光が散乱して第１面５２ａと第２面５２ｂを通じて出射できるように拡散パターン５４を形成する。
【００２８】
プリズムパターン５３の第１面５２ａ及び第２面５２ｂをすべて全反射する全反射区間は、拡散パターン５４の幅がＤ、光源７０と光学部材５０の入光面５１との間の距離がＨ、入射光が垂線と成す角度がθ、プリズムパターン５３の屈折率がｎであるとき、入射光が、以下の条件式１
（数１）
９０°−ａ−ｃｏｓ−１（１／ｎ）＜θ＜９０°−  ３ａ＋ｃｏｓ−１（１／ｎ）
の式を満足する領域であり、このような全反射区間と重なるように拡散パターン５４を形成しなければならない。
【００２９】
このような条件を拡散パターン５４の幅に関する式で再び換算すると、以下の条件式２
（数２）
Ｈ×ｔａｎ（９０°−ａ−ｃｏｓ−１（１／ｎ））＜Ｄ＜Ｈ×ｔａｎ（９０°−３ａ＋ｃｏｓ−１（１／ｎ））
の条件を満足しなければならない。
【００３０】
上記条件について具体的に説明すると、上記条件式でそれぞれのパラメータ（ｐａｒａｍｅｔｅｒ）は、
Ｄ：光源から光学部材への垂線と入光面との交点を中点とする拡散パターンの幅、
Ｈ：光源と光学部材との間の距離、
θ：入射光と垂直線と成す角度、
ｎ：プリズムパターンの屈折率、
α：プリズムパターンの底角、
β：光源からの垂直線と第１面が成す角度、
δ：第１面と入射光が成す角度、
ｒ：光源の半径、
Ω：第２面と第１面の反射光が成す角度を意味する。
【００３１】
まず、三角形の内角の合計は１８０°になるため、δ＝１８０−β−θ、及びΩ＝２α−δが成立する。
スネルの法則（ｓｎｅｌｌ’ｓ  ｌａｗ）を利用して第２面５２ｂで全反射になる条件を求めると、Ω＜ｃｏｓ−１（１／ｎ）が成立する。
【００３２】
また、第１面５２ａで全反射となる条件を求めると、δ＜ｃｏｓ−１（１／ｎ）が成立する。
【００３３】
第１面５２ａ及び第２面５２ｂで全反射となる条件を連立すると、２α−ｃｏｓ−１（１／ｎ）＜δ＜ｃｏｓ−１（１／ｎ）が成立する。
【００３４】
一方、垂線（Ｌ）と入射光が成す角度であるθに関する式に変更すると、前記条件式１
（数３）
９０°−α−ｃｏｓ−１（１／ｎ）＜θ＜９０°−３α＋ｃｏｓ−１（１／ｎ）
が成立する。
【００３５】
θに関する式を光源７０と光学部材５０との間の垂線（Ｌ）と入光面との交点を中点とする拡散パターンの区間であるＤに関する式に変更すると、前記条件式２
（数４）
Ｈ×ｔａｎ（９０°−α−ｃｏｓ−１（１／ｎ））＜Ｄ＜Ｈ×ｔａｎ（９０°−３α＋ｃｏｓ−１（１／ｎ））
が成立する。
【００３６】
したがって、上記２つの条件式のうち何れか一つを満足する区間は全反射区間になる。
【００３７】
上述の式に光源７０の半径（ｒ）を考慮して拡散パターンの幅（Ｄ）を計算すると、拡散パターンの幅（Ｄ）は、
（数５）
Ｄ＝２×ｒ＋Ｈ×ｔａｎ（９０°−３α＋ｃｏｓ−１（１／ｎ））
を満足する。
【００３８】
本実施形態では、プリズムパターンの底角（α）を４５°と設定して、プリズムパターンの屈折率（ｎ）を１．５〜１．６５とするとき、拡散パターンの幅（Ｄ）は、
（数６）
０．１１２×Ｈ＋２×ｒ＜Ｄ＜０．２７×Ｈ＋２×ｒ
を満足する。
【００３９】
以下、図４及び図５を参照して本発明の第２の実施形態による光学部材について詳細に説明する。
図４は、本発明の第２の実施形態による光学部材及び光源の部分斜視図であり、図５は、図４に示す光学部材及び光源をＶ−Ｖ’線に沿って切断した断面図である。説明の便宜上、第１の実施形態の図面に示す各部材と同一機能を有する同一部材は同一符号で示し、したがって、その説明は省略する。
【００４０】
本発明の第２の実施形態による光学部材５０は、拡散パターン５４ａが出光面５２に形成される。すなわち、拡散パターン５４ａは出光面５２に形成されたプリズムパターン５３に形成される。プリズムパターン５３に形成された拡散パターン５４ａに光が入射すると、光の反射角が変化して、プリズムパターン５３を通過する。
【００４１】
このような拡散パターン５４ａは、サンドブラスタ（ｓａｎｄ  ｂｌａｓｔｅｒ）を利用して表面を加工して形成したり、光を散乱させる塗料を塗布してプリズムパターン５３に形成することができる
【００４２】
このとき、拡散パターン５４ａの形成区間は、上述したように入光面５１を通じて入射した入射光が全反射されて再び入光面５１に反射する全反射区間となる。
【００４３】
図６は、図５に示す光学部材の実施形態の変形例を示す断面図である。
本発明の第２の実施形態の変形例による光学部材５０は、拡散パターン５４ｂが入光面５１と出光面５２との間に分散される。
【００４４】
すなわち、光学部材５０を製造する過程で分散剤を投入して拡散パターン５４ｂを形成する。このような光学部材５０の拡散パターン５４ｂは前述したように入光面５１を通じて入射した入射光が全反射され、再び入光面５１に反射する全反射区間の入光面５１と出光面５２との間に実質的に均一に分散剤を分布させて形成する。この時、分散剤は、光学部材５０と異なる密度を持ったビーズや空洞（ｃａｖｉｔｙ）でありうる。
【００４５】
以下、図７及び図８を参照して本発明の第３の実施形態による光学部材について詳細に説明する。
図７は、本発明の第３の実施形態による光学部材及び光源の部分斜視図であり、図８は、図７に示す光学部材及び光源をＶＩＩＩ−ＶＩＩＩ’線に沿って切断した断面図である。説明の便宜上、第１の実施形態の図面に示す各部材と同一機能を有する同一部材は同一符号で示し、したがって、その説明は省略する。
【００４６】
本発明の第３の実施形態による光学部材５０は、第１光学部材５０＿１、及び第２光学部材５０＿２を含む。第１光学部材５０＿１は、プリズムパターン５３を含み、第２光学部材５０＿２は拡散パターン５４ｃを含む。
【００４７】
第１光学部材５０＿１は、第２光学部材５０＿２の上部に配置され光が出射される上面にプリズムパターン５３を含む。第２光学部材５０＿２は、プリズムパターン５３の下方に拡散パターン５４ｃを含み、その下方に光源７０が配置される。すなわち、第１光学部材５０＿１の入光面と第２光学部材５０＿２の出光面は互いに隣接する。
【００４８】
第２光学部材５０＿２に形成された拡散パターン５４ｃは、第１光学部材５０＿１の全反射区間と重なるように形成される。すなわち、光源７０から第１光学部材５０＿１の入光面５１に入射された入射光が全反射される区間と重なるように第２光学部材５０＿２の拡散パターン５４ｃを形成する。
【００４９】
以下、図９を参照して本発明の第４の実施形態による光学部材について詳細に説明する。
図９は、本発明の第４の実施形態による光学部材の断面図である。説明の便宜上、第１の実施形態の図面に示す各部材と同一機能を有する同一部材は同一符号で示し、したがって、その説明は省略する。
【００５０】
本発明の第４の実施形態による光学部材５０ｄは、光拡散能力が互いに異なる第１拡散パターン５４ｄと第２拡散パターン５５を含む。ここで、光拡散能力とは、入射光が拡散パターンを通過しながら光が散乱される程度を意味する。すなわち、光拡散能力は拡散パターンの密度又は拡散パターンの粒子のサイズなどによって入射光がより多く広がる程度を意味する。したがって、光拡散能力が大きいという意味は、拡散パターンの密度が高いという意味であり得、同一の密度で拡散パターンの粒子のサイズが大きいという意味でもあり得る。
【００５１】
第１拡散パターン５４ｄは、上述したようにプリズムパターン５３の全反射区間（Ｄ１）と重なるように形成され、第２拡散パターン５５は、入射光が出光面５２を通過する透過区間（Ｄ２）と重なるように形成される。ここで、第１拡散パターン５４ｄは、第２拡散パターン５５に比べて光拡散能力を高く形成する。このような第１拡散パターン５４ｄ及び第２拡散パターン５５は、入光面５１又は出光面５２に形成することもでき、別途の部材を追加して第１拡散パターン５４ｄが形成された部材と第２拡散パターン５５が形成された部材とを重ねて適用することもできる。
【００５２】
以下、図１０及び図１１を参照して本発明の一実施形態による表示装置を詳細に説明する。
図１０は、本発明の一実施形態による表示装置の分解斜視図であり、図１１は、図１０に示す表示装置に含まれる光学部材、拡散板及び光源を示す概略断面図である。
【００５３】
先に図１０を参照すると、本発明の一実施形態による表示装置１は、表示パネルアッセンブリ３０、上部収納容器２０、中間フレーム４０、光学部材５０、拡散板６０、複数の光源７０、光源ソケット９１、及び下部収納容器９０を含む。
【００５４】
表示パネルアッセンブリ３０は、下部表示板３３、上部表示板３２及び二つの表示板の間に介在する液晶層（図示せず）を含む表示パネル３１、ゲートテープキャリアパッケージ３５、データテープキャリアパッケージ３４、及び統合印刷回路基板３６を含む。
【００５５】
表示パネル３１は、ゲートライン（図示せず）及びデータライン（図示せず）と薄膜トランジスタアレイ、画素電極などを含む下部表示板３３と、ブラックマトリックス（ｂｌａｃｋ  ｍａｔｒｉｘ）、共通電極などを含み、下部表示板３３に対向するように配置された上部表示板３２を含む。このような表示パネル３１は、画像情報を表示する役割を果たす。
【００５６】
また、ゲートテープキャリアパッケージ３５は、下部表示板３３に形成された各ゲートライン（図示せず）に接続され、データテープキャリアパッケージ３４は下部表示板３３に形成された各データライン（図示せず）に接続される。ここで、ゲートテープキャリアパッケージ３５及びデータテープキャリアパッケージ３４は、半導体チップがベースフィルム上に形成された配線パターンとタブ（ＴＡＢ、Ｔａｐｅ  Ａｕｔｏｍａｔｅｄ  Ｂｏｎｄｉｎｇ）技術によって接合されたタブテープ（ＴＡＢ  ｔａｐｅ）を含む。
【００５７】
一方、印刷回路基板３６にはゲートテープキャリアパッケージ３５にゲート駆動信号を出力する、データテープキャリアパッケージ３４にデータ駆動信号を出力する様々な駆動部品が実装される。
【００５８】
上部収納容器２０は、表示装置１の外観を形成し、内部に表示パネルアッセンブリ３０が収納される空間が形成されている。このような上部収納容器２０の中央部には表示パネル３１を外部に露出させる開放窓が形成されている。
上部収納容器２０は、中間フレーム４０を介して下部収納容器９０と結合される。
【００５９】
中間フレーム４０は、内部に光学部材５０、拡散板６０、光源７０、及び光源ソケット９１を収納し、下部収納容器９０と安定装着されて固定される。このような中間フレーム４０は、長方形形状の縁に沿って形成された側壁で構成されて、中央部には拡散板６０及び光学部材５０を通過した光が透過できるように開放窓（ウィンドウ）を形成する。
【００６０】
光学部材５０は、拡散板６０から出射された光を拡散して集光するプリズムパターン５３を含み、拡散板６０の上部に配置され、中間フレーム４０内部に収納される。
このような光学部材５０とは別途にプリズムシート、拡散シート、及び保護シートなどをさらに含み得る。
【００６１】
拡散板６０は、光源７０から出た光を各方向に拡散させる役割をするものであって、光源７０の形状に沿って明るく表れる部分である輝線が表示装置１の上面（画像表示面）から見えないようにする。拡散板６０は、透明な素材で形成され得、上面に光源７０の光を拡散させるためのレンズパターン６１を含み得る。
【００６２】
図１１を参照すると、光学部材５０は拡散板６０上に配置され、光学部材５０のプリズムパターン５３と拡散板６０のレンズパターン６１は、ピッチ（ｐｉｔｃｈ）が互いに異なるように形成される。例をあげれば、レンズパターン６１のピッチがプリズムパターン５３のピッチより３〜５倍大きく形成される。
【００６３】
光源７０から放出された光が拡散板６０のレンズパターン６１と光学部材５０のプリズムパターン５３を通過する経路について説明する。
光源７０の光は、拡散板６０にほぼ垂直方向に向かう光〔（１）、（２）〕と拡散板６０に斜めに入射する光〔（３）、（４）〕に分けて説明する。
【００６４】
先ず、拡散板６０にほぼ垂直に入射する光〔（１）、（２）〕は、拡散板６０のレンズパターン６１の頂点を通過する場合、ほぼ屈折されず、そのまま上方向に直進する。すなわち、光源７０から放出される光のうち拡散板６０にほぼ垂直に向かう光のうち一部は全く屈折されないため、実質的に光源７０上に拡散板なしで光学部材５０が配置される場合と同様の結果を示す。したがって、前述したように、各々の光源７０と重なる区間に拡散パターン５４を形成して光を拡散させることができる。
【００６５】
次に、拡散板６０に斜めに入射する光〔（３）、（４）〕は、拡散板６０のレンズパターン６１によって出射される光の角度が顕著に屈折され得る。このように、拡散板６０に斜めに入射する光〔（３）、（４）〕は、拡散板６０によって一部経路が変わることはあるが、様々な経路に拡散されてレンズパターン６１から出射される。
【００６６】
このように拡散板６０と光学部材５０を重ねて使用することによって、光源７０の光をより効果的に拡散させ、均一な面光源を形成することができる。
ただし、光学部材５０は、必ず拡散板６０上部に配置されることに限定されず、拡散板６０下部に配置することも可能である。
【００６７】
光学部材５０と拡散板６０は、別途の構成要素として各々含ませることもできるが、拡散板６０を除去して光学部材５０のみを含むこともできる。
あるいは、前述したように光学部材５０は、その機能を各々分離して一つ以上の部材を重ねて使用することも可能である。
【００６８】
光源７０は、線光源の一つとして、冷陰極線蛍光ランプ（Ｃｏｌｄ  Ｃａｔｈｏｄｅ  Ｆｌｕｏｒｅｓｃｅｎｔ  Ｌａｍｐ：ＣＣＦＬ）、熱陰極線蛍光ランプ（Ｈｏｔ  Ｃａｔｈｏｄｅ  Ｆｌｕｏｒｅｓｃｅｎｔ  Ｌａｍｐ：ＨＣＦＬ）などを使用することができる。熱陰極線蛍光ランプ（ＨＣＦＬ）の場合、両端に２個ずつの端子を含む。このような端子は、光源ソケット９１及び接地ソケット９３に挿入されて電源の供給を受ける。
【００６９】
反射シート８０は、光源７０の下部に位置して光源７０の下部に放出される光を上部に反射して光の効率を上げる。
一方、光源ソケット９１は、下部収納容器９０の底面に形成されたソケット挿入口９２を通じて下部収納容器９０底面から露出され、ソケット挿入口９２を通じて露出した光源ソケット９１にはインバータ（図示せず）が挿入される。
【００７０】
尚、本発明は、上述の実施形態に限られるものではない。本発明の技術的範囲から逸脱しない範囲内で多様に変更実施することが可能である。
【産業上の利用可能性】
【００７１】
本発明に係る表示装置は、ＰＭＰ（Ｐｏｒｔａｂｌｅ  Ｍｕｌｔｉｍｅｄｉａ  Ｐｌａｙｅｒ）、ＰＤＡ（Ｐｅｒｓｏｎａｌ  Ｄｉｇｉｔａｌ  Ａｓｓｉｓｔａｎｔ）、携帯用ＤＶＤ（Ｄｉｇｉｔａｌ  Ｖｅｒｓａｔｉｌｅ  Ｄｉｓｋ）プレーヤ、携帯電話（ｃｅｌｌｕｌａｒ  ｐｈｏｎｅ）など、液晶表示装置を用いるすべての電子機器に好適に使用される。
【符号の説明】
【００７２】
１    表示装置
２０    上部収納容器
３０    表示パネルアッセンブリ
３１    表示パネル
３２    上部表示板
３３    下部表示板
３４    データテープキャリアパッケージ
３５    ゲートテープキャリアパッケージ
３６    統合印刷回路基板
４０    中間フレーム
５０、５０ａ、５０ｂ、５０ｄ    光学部材
５０＿１    第１光学部材
５０＿２    第２光学部材
５１    入光面
５２    出光面
５３    プリズムパターン
５４、５４ａ、５４ｂ、５４ｃ    拡散パターン
５４ｄ    第１拡散パターン
５５    第２拡散パターン
６０    拡散板
７０    光源
８０    反射シート
９０    下部収納容器
９１    光源ソケット
９２    ソケット挿入口
９３    接地ソケット
【図１】
2010108937.tif 000003
【図２】
2010108937.tif 000004
【図３】
2010108937.tif 000005
【図４】
2010108937.tif 000006
【図５】
2010108937.tif 000007
【図６】
2010108937.tif 000008
【図７】
2010108937.tif 000009
【図８】
2010108937.tif 000010
【図９】
2010108937.tif 000011
【図１０】
2010108937.tif 000012
【図１１】
2010108937.tif 000013